(57)【要約】【課題】  スライドガイドを使用する竿体において、その精密な径合わせが不要であり、且つ、スライドガイドの位置合わせも容易である竿体を提供する。【解決手段】  この中竿２は、先細りテーパの施された筒状体である本体部と、本体部の周面上を軸方向に滑動自在に配置された複数のスライドガイド１１とを備える。この複数のスライドガイド１１はそれぞれ本体部が貫通している固定パイプ１２を有する。この固定パイプ１２の内周面と本体部の外周面との嵌着によって、スライドガイド１１はそれぞれ本体部の所定の軸方向位置で位置決めされる。複数のスライドガイド１１がそれぞれ位置決めされる複数の軸方向位置に於いて、本体部の周面には軸方向に延びる塗料マーク１５が塗装されており、これらの複数の塗料マーク１５は本体部の周方向の位置を同じくしており、塗料マーク１５は本体部の手元側ほど本体部の周面より高く盛り上がっている。【選択図】  図２
2005198589.tif 000002
【特許請求の範囲】
【請求項１】
魚釣りに用いる釣竿を構成する竿体であって、
先細りテーパの施された筒状体である本体部と、
前記本体部の周面上を軸方向に滑動自在に配置された複数のスライドガイドとを備え、
前記複数のスライドガイドはそれぞれ前記本体部が貫通している固定パイプを有し、前記固定パイプの内周面と前記本体部の外周面との嵌着によって、前記スライドガイドはそれぞれ前記本体部の所定の軸方向位置で位置決めされ、
前記複数のスライドガイドがそれぞれ位置決めされる複数の軸方向位置に於いて、前記本体部の周面には軸方向に延びる塗料マークが塗装されており、
前記複数の塗料マークは前記本体部の周方向の位置を同じくしており、前記塗料マークは前記本体部の手元側ほど前記本体部の周面より高く盛り上がっている、竿体。
【請求項２】
魚釣りに用いる釣竿を構成する竿体であって、
先細りテーパの施された筒状体である本体部と、
前記本体部の周面上を軸方向に滑動自在に配置された複数のスライドガイドとを備え、
前記複数のスライドガイドはそれぞれ前記本体部が貫通している固定パイプを有し、前記固定パイプの内周面と前記本体部の外周面との嵌着によって、前記スライドガイドはそれぞれ前記本体部の所定の軸方向位置で位置決めされ、
前記複数のスライドガイドがそれぞれ位置決めされる複数の軸方向位置に於いて、前記本体部の周面には軸方向に延びる塗料マークが塗装されており、
前記複数の塗料マークは前記本体部の周方向の位置を同じくしており、前記塗料マークは前記本体部の手元側ほど前記本体部の周方向における幅が幅広になっている、竿体。
【請求項３】
魚釣りに用いる釣竿を構成する竿体であって、
先細りテーパの施された筒状体である本体部と、
前記本体部の周面上を軸方向に滑動自在に配置された複数のスライドガイドとを備え、
前記複数のスライドガイドはそれぞれ前記本体部が貫通している固定パイプを有し、前記固定パイプの内周面と前記本体部の外周面との嵌着によって、前記スライドガイドはそれぞれ前記本体部の所定の軸方向位置で位置決めされ、
前記複数のスライドガイドがそれぞれ位置決めされる複数の軸方向位置に於いて、前記本体部の周面には軸方向に延びる塗料マークが塗装されており、
前記複数の塗料マークは前記本体部の周方向の位置を同じくしており、前記塗料マークは前記本体部の手元側ほど前記本体部の周面より高く盛り上がっており、且つ、前記本体部の手元側ほど前記本体部の周方向における幅が幅広になっている、竿体。
【請求項４】
前記塗料マークはスクリーン印刷により形成されている、請求項１〜３の何れかに記載の竿体。
【発明の詳細な説明】
【技術分野】
【０００１】
本発明は釣竿を構成する竿体に関する。特に、竿体の周面をスライドガイドと呼ばれる軸方向にスライド移動可能な釣糸ガイドを有する竿体に関するものである。
【背景技術】
【０００２】
魚釣りに用いる釣竿には、釣糸を支持しつつリールと穂先側との間で釣糸を案内するスライドガイドを竿体の外周面に有するものがある。このような釣竿は、複数の竿体を連結してなるものであり、各竿体の穂先側端部には固定された固定ガイドを有し、その竿元側にはスライドガイドが竿体の周面上を固定ガイドの竿元側において軸方向に滑動自在（スライド移動自在）に配置されている。
【０００３】
このスライドガイドは、竿体周面から起立するように位置するフレームと、フレームの一端に形成され竿体に固定される固定パイプと、フレームにはめ込まれており釣糸が挿通するセラミックス等の硬質部材からなるガイドリングとを有している。
このような釣竿で複数の竿体をいわゆる振出形式で収納可能なタイプの場合、使用時には各竿体を順次穂先側に引き出して一本の釣竿として用いる。この際、スライドガイドは竿体周面を竿元側にスライド移動させられ、所定の位置で固定パイプが竿体周面に嵌合して固定される。また、収納時には、スライドガイドを穂先側にスライド移動させ、各竿体を竿元側の竿体内に順次収納する（例えば、特許文献１、特許文献２等参照）。
【０００４】
このようなスライドガイドは、その固定パイプと内径と竿体の外径との嵌着により軸方向の位置決めが為される。そこで、釣りをおこなっている最中に不用意にスライドガイドが移動してしまうことを防止するために、両者の径を精密に調整する必要がある。しかし、一般にプリプレグと呼ばれる繊維強化樹脂を焼成して製造される竿体においては、焼成の状況により外径は必ずしも一定化しない。そこで、外径を精密に調整するには焼成後外径を研磨加工する必要がある。このような研磨加工による径の精密な調整は煩雑である。
【０００５】
他方、両者の径を精密に調整し過ぎると、竿体周面に水やゴミ，泥などが付着していた場合、スライドガイドを勢いよく竿体周面でスライドさせて両者を嵌着させると、両者が固着してしまい、スライドガイドの竿体への嵌着を解除し難くなる場合もある。若しくは、スライドガイドが軸方向にスライド移動し難くなり、上手くスライドガイドを位置決めできなくなる恐れもある。
【０００６】
この点、上述の特許文献１においてはスライドガイドの周方向の位置決めのために竿体周面に軸方向に延びる突起を設ける技術を開示する。このような突起があればスライドガイドの固着は防止し得る余地がある。しかし、両者の径の精密な調整の煩雑さの解消までには至らない。
【特許文献１】特開2003-070384号公報
【特許文献２】特開平10-262508号公報
【発明の開示】
【発明が解決しようとする課題】
【０００７】
本発明の課題は、スライドガイドを使用する竿体において、その精密な径合わせが不要であり、且つ、スライドガイドの位置合わせも容易とすることにある。
【課題を解決するための手段】
【０００８】
本発明の魚釣りに用いる釣竿を構成する竿体の１つは、先細りテーパの施された筒状体である本体部と、本体部の周面上を軸方向に滑動自在に配置された複数のスライドガイドとを備える。この複数のスライドガイドはそれぞれ本体部が貫通している固定パイプを有し、固定パイプの内周面と本体部の外周面との嵌着によって、スライドガイドはそれぞれ本体部の所定の軸方向位置で位置決めされる。また、複数のスライドガイドがそれぞれ位置決めされる複数の軸方向位置に於いて、本体部の周面には軸方向に延びる塗料マークが塗装されており、これらの複数の塗料マークは本体部の周方向の位置を同じくしており、塗料マークは本体部の手元側ほど本体部の周面より高く盛り上がっている。
【０００９】
このような竿体は、複数本用意され、必要に応じて振出形式若しくは並継形式に連結して釣竿として用いられることになる。釣りを行う際には、スライドガイドを、それぞれ竿体上で手元側にスライド移動させて所定の位置に固定して位置決めする。ここで、各スライドガイドの軸方向位置はスライドガイドの固定パイプの内径と本体部の外径乃至塗料マークとの合致によって位置決めされる。塗料マークは手元側ほど高く本体部の周面より高く盛り上がっており、本体部の外径を精密に調整しなくても、塗料マークの径の変化によりスライドガイドは位置決めされる。特に、塗料マークの高さに変化が付けられているので、スライドガイドの固定パイプの塗料マーク等への嵌着もスムーズである。また、塗料マークがあることで、固定パイプと本体部とが全周面において嵌着せず両者の固着も生じ難い。他方、スライドガイドの周方向の位置決めにあっては、各竿体の周面に形成されている塗料マークを目印にして周方向位置を設定できる。
【００１０】
本発明の別の竿体は、先細りテーパの施された筒状体である本体部と、本体部の周面上を軸方向に滑動自在に配置された複数のスライドガイドとを備える。この複数のスライドガイドはそれぞれ本体部が貫通している固定パイプを有し、固定パイプの内周面と本体部の外周面との嵌着によって、スライドガイドはそれぞれ本体部の所定の軸方向位置で位置決めされる。また、複数のスライドガイドがそれぞれ位置決めされる複数の軸方向位置に於いて、本体部の周面には軸方向に延びる塗料マークが塗装されており、これら複数の塗料マークは本体部の周方向の位置を同じくしており、塗料マークは本体部の手元側ほど本体部の周方向における幅が幅広になっている。
【００１１】
このような竿体も、複数本用意され、必要に応じて振出形式若しくは並継形式に連結して釣竿として用いられることになる。釣りを行う際には、スライドガイドを、それぞれ竿体上で手元側にスライド移動させて所定の位置に固定して位置決めする。ここで、各スライドガイドの軸方向位置はスライドガイドの固定パイプの内径と本体部の外径乃至塗料マークとの合致によって位置決めされる。塗料マークは手元側ほど周方向の幅が幅広になっており、軸方向に手元側に至るほど塗料マークと本体部とを合わせた外径が大きくなる。固定パイプを手元側にスライドさせると、本体部の外径を精密に調整しなくても、塗料マークの変化によりスライドガイドは位置決めされる。特に、塗料マークに変化が付けられているので、スライドガイドの固定パイプの塗料マーク等への嵌着もスムーズである。また、塗料マークがあることで、固定パイプと本体部とが全周面において嵌着せず両者の固着も生じ難い。他方、スライドガイドの周方向の位置決めにあっては、各竿体の周面に形成されている塗料マークを目印にして周方向位置を設定できる。
【００１２】
本発明のさらに別の竿体は、先細りテーパの施された筒状体である本体部と、本体部の周面上を軸方向に滑動自在に配置された複数のスライドガイドとを備える。この複数のスライドガイドはそれぞれ本体部が貫通している固定パイプを有し、固定パイプの内周面と本体部の外周面との嵌着によって、スライドガイドはそれぞれ本体部の所定の軸方向位置で位置決めされる。また、複数のスライドガイドがそれぞれ位置決めされる複数の軸方向位置に於いて、本体部の周面には軸方向に延びる塗料マークが塗装されており、これら複数の塗料マークは本体部の周方向の位置を同じくしており、塗料マークは本体部の手元側ほど本体部の周面より高く盛り上がっており、且つ、本体部の手元側ほど前記本体部の周方向における幅が幅広になっている。
【００１３】
なお、塗料マークはスクリーン印刷により形成すれば、その形成が容易である。特に、本体部の手元側ほど本体部の周面より高く盛り上がるように塗料マークを形成するにあたっては、スクリーン印刷を積層して行くことで、段階的に手元側ほど高く塗料マークを形成することができる。
【発明の効果】
【００１４】
本発明に係る竿体では、スライドガイドとの精密な径合わせが不要であり、且つ、スライドガイドの位置合わせも容易である。
【発明を実施するための最良の形態】
【００１５】
［第１実施形態］
以下、本発明の第１の実施形態について図面を参照しつつ説明する。
【００１６】
図１に示すように、本発明の第１実施形態を採用した釣竿は、筒状の元竿１と、元竿１の穂先側に順次振出形式で連結される中竿２，穂先竿３との３本の竿体から構成されている。
【００１７】
元竿１及び中竿２は、それぞれ炭素繊維強化樹脂，ガラス繊維強化樹脂等からなるプリプレグから形成される先細りテーパが施された筒状体である本体部を有する。順次、穂先側端部内周面にその穂先側に連結される竿体の竿元側端部を嵌合固定可能となっている（いわゆる振出形式である）。各竿体はそれぞれ穂先側端部の周面に移動不能に固定されている固定ガイド１０を有する。中竿２の周面には、さらに、軸方向の所定の位置において周面に嵌着可能且つ小径化する穂先側方向に周面上をスライド移動可能な複数のスライドガイド１１が配置されている。元竿１は周面上にリールＲを脱着自在に固定可能なリールシート５を有し、竿元側端部には尻栓６が装着されている。
【００１８】
一方、穂先竿３は、炭素繊維強化樹脂，ガラス繊維強化樹脂等からなる中実の細棒状部材である。竿元側端部が嵌合雄部となっており、これが中竿２の穂先側端部内周面に嵌合して中竿２の穂先側に連結可能となっている。そして、この穂先竿３は、穂先側端部に固定されたトップガイド４を有し、その竿元側の周面にも軸方向の所定の位置において周面に嵌着可能且つ小径化する穂先側方向に周面上をスライド移動可能な複数のスライドガイド１１が配置されている。
【００１９】
穂先竿３又は中竿２の周面に配置されているスライドガイド１１は、図２に示すように（図２に於いては中竿２を例とする）、それぞれ各竿体の筒状の本体部のテーパ径に合わせて所定の軸方向位置においてその外周面に嵌合する固定パイプ１２と、この固定パイプ１２に連結されるフレーム１３と、フレーム１３にはめ込まれたガイドリング１４とを有している。このスライドガイド１１は穂先竿３若しくは中竿２の周面に嵌合する位置より穂先側に向かって各竿体上をスライド移動可能となっており、固定パイプ１２の内径と所定位置の竿体の本体部の外径とが一致する場所で固定される。固定パイプ１２は本体部が貫通する貫通孔を有する合成樹脂等からなる部材である。フレーム１３は合成樹脂若しくは金属等から形成され頭部側には竿体の軸方向に貫通する窓が形成されている。この窓部分にガイドリング１４がはめ込まれている。ガイドリング１４はセラミックスなどの硬質部材からなり、釣糸がこのガイドリング１４を挿通する。
【００２０】
例えば、図２に示すように、このような中竿２には、スライドガイド１１が固定され位置決めされる軸方向の所定の位置の本体部の周面に塗料マーク１５が付されている。塗料マーク１５は中竿２の軸方向に延びる。スライドガイド１１は複数個あるため、中竿２の塗料マーク１５は複数の軸方向箇所に付されることになるが、複数の塗料マーク１５はその周方向位置を同一にしている。
【００２１】
塗料マーク１５は、例えば、エポキシ樹脂等の塗料をスクリーン印刷等の手法によって中竿２の本体部の周面に塗布して形成される。この塗料マーク１５は中竿２の竿元側（手元側）ほど本体部の周面からの高さが高くなるように傾斜している。この塗料マーク１５の凡そ軸方向中央付近にスライドガイド１１の固定パイプ１２が嵌着する程度に、塗料マーク１５の高さを調整する。この塗料マーク１５をスクリーン印刷によって行う場合であれば、例えば、図４に示すように、所定の塗料を手元側ほど厚くなるように重ね塗りして、塗料マーク１５を形成することができる。即ち、第１段階として、塗料マーク１５の軸方向長さ一杯に塗料をスクリーン印刷する。続いて、第２段階として、塗料マークの軸長方向の穂先側の一部を欠くようにして、塗料をスクリーン印刷により先行する塗料の上に重ね塗りする。かかる工程を繰り返すことで、竿元側ほど中竿２の竿体の周面から高くなる塗料マーク１５を形成できる。図４に示すように、塗料は階段状のままとしても良いが、最終的に研磨加工などを施してもよい。
【００２２】
なお、穂先竿３も同様の構造を採用している。
このように構成される釣竿では、使用時には穂先竿３から順次穂先側に引き出して連結し、一本の釣竿とする。そして、複数のスライドガイド１１を穂先竿３及び中竿２上で竿元側にそれぞれスライド移動させて、個々のスライドガイド１１を所定の軸方向位置に固定する。まず、スライドガイド１１の周方向の位置決めにあっては、各竿体の所定位置の周面に形成されている塗料マーク１５を目印にして周方向位置を設定する（図２参照）。即ち、塗料マーク１５に合わせてスライドガイド１１のフレーム１３を起立させる。各塗料マーク１５の周方向位置は同一であり、これにより各スライドガイド１１の周方向の位置合わせが可能である。そして、リールＲからの釣糸を円滑に穂先側に各スライドガイド１１が案内することが可能となる。
【００２３】
他方、各スライドガイド１１の軸方向位置は、スライドガイド１１の固定パイプ１２の内径と竿体の筒状の本体部の外径乃至塗料マーク１５との合致によって位置決めされる。塗料マーク１５は手元側ほど高く本体部の周面より高く盛り上がっており、例えば、中竿２の本体部の外径を精密に調整しなくても、塗料マーク１５の径の変化によりスライドガイド１１は位置決めされる。特に、塗料マーク１５の高さに変化が付けられているので、スライドガイド１１の固定パイプ１２の塗料マーク１５等への嵌着もスムーズである。また、塗料マーク１５があることで、固定パイプ１２と中竿２の本体部とが全周面において嵌着せず両者の固着も生じ難い。
【００２４】
釣りを終えた際には、釣人は各スライドガイド１１が穂先竿３及び中竿２の周面においてそれぞれ穂先側にスライド移動させてまとめ、穂先竿３から準じ手元側の竿体内に振出形式で収納し、釣竿をコンパクトな状態にできる。
【００２５】
［第２実施形態］
上記第１実施形態の変形例を採用したスライドガイド１１及び中竿２を、図５及び図６に示す。元竿１〜穂先竿３の基本的な構造は上記第１実施形態と同様である。
【００２６】
穂先竿３又は中竿２の周面に配置されているスライドガイド１１も、図５に示すように、それぞれ各竿体の筒状の本体部のテーパ径に合わせて所定の軸方向位置においてその外周面に嵌合する固定パイプ１２と、この固定パイプ１２に連結されるフレーム１３と、フレーム１３にはめ込まれたガイドリング１４とを有している。この点も、上記第１実施形態と同様である。
【００２７】
図５に示すように、この中竿２には、スライドガイド１１が固定され位置決めされる軸方向の所定の位置の本体部の周面に塗料マーク２０が付されている。塗料マーク２０は中竿２の軸方向に延びる。スライドガイド１１は複数個あるため、中竿２の塗料マーク２０は第１実施形態と同様に複数の軸方向箇所に付されることになるが、複数の塗料マーク２０はその周方向位置を同一にしている。
【００２８】
塗料マーク２０は、第１実施形態と同様にエポキシ樹脂等の塗料をスクリーン印刷等の手法によって中竿２の本体部の周面に塗布して形成される。この塗料マーク２０は中竿２の本体部の周面からの高さに特に変化を設けていないが、中竿２の竿元側（手元側）ほど本体部の周面に沿って幅広になるように形成されている。このような高さに特に変化を設けない塗料マーク２０の形成は、スクリーン印刷を繰り返す必要もなく一度の工程で容易に為し得る。
【００２９】
この塗料マーク２０の凡そ軸方向中央付近にスライドガイド１１の固定パイプ１２が嵌着する程度に、塗料マーク２０の高さを調整する。即ち、塗料マーク２０の幅方向長さが軸方向の竿元側ほど徐々に大きくなれば、軸方向において竿元側に至るほど当該軸方向位置での本体部と塗料マーク２０との最大幅が大きくなり（図７参照）、一定の軸方向位置においてスライドガイド１１の固定パイプ１２が位置決めされることになる。
【００３０】
このように構成される釣竿も、上記第１実施形態と同様にして用いることができる。
［その他の実施形態］
なお、上記２つの実施形態においては、それぞれ塗料マークを軸方向において高さ方向に変化させ、若しくは幅方向（周方向）に変化させた場合を示している。もっとも、これらを併用して、図８に示すような塗料マークを利用することも当然に可能である。この図８においては、竿元側ほど幅広となるように塗料をスクリーン印刷で重ね塗りしている。
【図面の簡単な説明】
【００３１】
【図１】本発明に係る竿体を利用した釣竿の全体を示した図。
【図２】本発明の第１実施形態の中竿２のスライドガイド１１付近を示した図。
【図３】図２の参考図。
【図４】図２の中竿２の塗料マーク１５の１つの例を示す図。
【図５】本発明の第２実施形態の中竿２のスライドガイド１１付近を示した図。
【図６】図５の参考図。
【図７】図５のVII-VII断面図。
【図８】塗料マークの変形例を示した図。
【符号の説明】
【００３２】
２  中竿
３  穂先竿
１１  スライドガイド
１２  固定パイプ
１３  フレーム
１４  ガイドリング
１５，２０  塗料マーク
【図１】
2005198589.tif 000003
【図２】
2005198589.tif 000004
【図３】
2005198589.tif 000005
【図４】
2005198589.tif 000006
【図５】
2005198589.tif 000007
【図６】
2005198589.tif 000008
【図７】
2005198589.tif 000009
【図８】
2005198589.tif 000010